(57)【要約】  確実な通信を保証する方法であって、異なるレベルの電子スタンプを発行すること、及び、電子スタンプが添付された電子メールが、電子スタンプのレベルに応じたサービスを受けることができるようにすることを含む方法が開示される。本発明を利用することにより、確実な通信が保証され、通信者の深いレベルの通信需要に応じることができる。【特許請求の範囲】
【請求項１】
確実な通信を保証する方法であって、異なるレベルの電子スタンプを発行すること、及び、前記電子スタンプが添付された電子メールが、前記電子スタンプのレベルに応じたサービスを受けることができるようにすることを含む方法において、前記電子メールが自動検出及び暗号化を経た後、メールサーバーに保存され、前記電子メールの受取人が、受信した電子メールの個別コード及び前記電子メールに保存されたアドレスリンクを介して前記電子メールにアクセスする方法。
【請求項２】
前記サービスが、前記電子メールに返信する、または前記電子メールの内容に応答する前記電子メールの宛先を含む請求項１に記載の方法。
【請求項３】
前記電子スタンプが「任務完了を求める」を示す画像として表示される請求項１または２に記載の方法。
【請求項４】
前記電子スタンプの画像にそのレベルに応じた価格が表示されている請求項１または２に記載の方法。
【請求項５】
前記電子スタンプが特定の形式のファイルである請求項１または２に記載の方法。
【請求項６】
前記電子メールの送信者が前記電子メールのステータスを認知するためのメールステータス用パラメータが前記電子メールに含まれている請求項１に記載の方法。
【請求項７】
確実な通信方法であって、特定の購入経路を介して、電子スタンプの発行者から電子スタンプを購入すること、及び、電子メールがその電子メールの宛先に送信される際に、所望のサービスに応じたレベルの電子スタンプを添付することを含む方法において、前記電子メールが自動検出及び暗号化を経た後、メールサーバーに保存され、前記電子メールの受取人が、受信した電子メールの個別コード及び前記電子メールに保存されたアドレスリンクを介して前記電子メールにアクセスする方法。
【請求項８】
前記サービスが、前記電子メールに返信する、または前記電子メールの内容に応答する前記電子メールの前記宛先を含む請求項７に記載の方法。
【請求項９】
前記電子スタンプが「任務完了を求める」を示す画像として表示される請求項７または８に記載の方法。
【請求項１０】
前記電子スタンプの画像にそのレベルに応じた価格が表示されている請求項７または８に記載の方法。
【請求項１１】
前記電子スタンプが特定の形式のファイルである請求項７または８に記載の方法。
【請求項１２】
前記電子メールの送信者が前記電子メールのステータスを認知するためのメールステータス用パラメータが前記電子メールに含まれている請求項７に記載の方法。
【発明の詳細な説明】
【技術分野】
【０００１】
本発明は、通信分野、特に、インターネットを介する電子メールの通信技術に関する。
【背景技術】
【０００２】
従来の郵便物は、郵便局を媒介としてやり取りされ、収集、仕分け、発送、輸送、配達などの複数の工程を含む順序に従って配達される。主な収集方法は、郵便局に、郵便受け、郵便ポスト、営業窓口などを設けて直接収集することである。仕分け及び発送については、郵便物は届け先に従って仕分けされ、仕分けされた郵便物は、発送用に束ねられる。輸送については、束ねられた郵便物はそれぞれ、指定の郵送経路を介して各届け先に輸送される。配達不能の郵便物は通常差出人に返却される。
【０００３】
情報化時代においては、インターネットを介した通信形態が十分に発達してきており、特に電子メールの利用は徐々に普及してきている。電子メールは、電子手段を利用して情報交換を行う通信形態であり、最も一般的に利用されているのはインターネットサービスである。ユーザーは、ネットワークの電子メールシステムを介して非常に廉価に、かつ非常に迅速に世界中のどこのネットワークユーザーとも交信することができる。これらの電子メールには、テキスト、画像、音声など種々の内容が含まれることもある。
【発明の概要】
【発明が解決しようとする課題】
【０００４】
しかし、従来の郵便物にしても電子メールにしても、人々の比較的基本的な通信需要、つまり、ユーザーによって送られた内容を、対象の相手先がその内容を受け取る領域に配送するという需要を満たすことができるだけである。ところが、このような通信の確実性は依然として低い。特に、相手先が通信内容を読むかどうかについては保証できない。更に重要なこととして、通信目的、例えばメールに反映された要求に応えてもらえるかどうかについても保証することはできない。
【課題を解決するための手段】
【０００５】
上述の問題点に関し、本発明は、確実な通信を保証する方法であって、異なるレベルの電子スタンプを発行すること、及び、前記電子スタンプが添付された電子メールが、前記電子スタンプのレベルに応じたサービスを受けることができるようにすることを含む方法において、前記電子メールが自動検出及び暗号化を経た後、メールサーバーに保存され、前記電子メールの受取人が、受信した電子メールの個別コード及び前記電子メールに保存されたアドレスリンクを介して前記電子メールにアクセスする方法を提供する。
【０００６】
本発明の一実施形態によると、前記サービスが、前記電子メールに返信する、または前記電子メールの内容に応答する前記電子メールの宛先を含む、確実な通信を保証する方法が提供される。
【０００７】
本発明の一実施形態によると、前記電子スタンプが「任務完了を求める」を示す画像として表示される、確実な通信を保証する方法が提供される。
【０００８】
本発明の一実施形態によると、前記電子スタンプの画像にそのレベルに応じた価格が表示されている、確実な通信を保証する方法が提供される。
【０００９】
本発明の一実施形態によると、前記電子スタンプが特定の形式のファイルである、確実な通信を保証する方法が提供される。
【００１０】
本発明の一実施形態によると、前記電子メールの送信者が前記電子メールのステータスを認知するためのメールステータス用パラメータが前記電子メールに含まれている、確実な通信を保証する方法が提供される。
【００１１】
本発明はさらに、確実な通信方法であって、特定の購入経路を介して、電子スタンプの発行者から電子スタンプを購入すること、及び、電子メールがその電子メールの宛先に送信される際に、所望のサービスに応じたレベルの電子スタンプを添付することを含む方法において、前記電子メールが自動検出及び暗号化を経た後、メールサーバーに保存され、前記電子メールの受取人が、受信した電子メールの個別コード及び前記電子メールに保存されたアドレスリンクを介して前記電子メールにアクセスする方法を提供する。
【００１２】
本発明の一実施形態によると、前記サービスが、前記電子メールに返信する、または前記電子メールの内容に応答する前記電子メールの前記宛先を含む、確実な通信方法が提供される。
【００１３】
本発明の一実施形態によると、前記電子スタンプが「任務完了を求める」を示す画像として表示される確実な通信方法が提供される。
【００１４】
本発明の一実施形態によると、前記電子スタンプの画像にそのレベルに応じた価格が表示されている確実な通信方法が提供される。
【００１５】
本発明の一実施形態によると、前記電子スタンプが特定の形式のファイルである確実な通信方法が提供される。
【００１６】
本発明の一実施形態によると、前記電子メールの送信者が前記電子メールのステータスを認知するためのメールステータス用パラメータが前記電子メールに含まれている確実な通信方法が提供される。
【発明の効果】
【００１７】
本発明によれば、電子メールの発信者と宛先との間の通信において高い信頼性を保証することができる。
【図面の簡単な説明】
【００１８】
本発明は、図面を参照した以下の詳細な説明からより包括的に理解されるであろう。
【図１】本発明の一実施形態によるフローチャートである。
【図２】本発明の別実施形態によるフローチャートである。
【発明を実施するための形態】
【００１９】
本発明の一実施形態によると、電子スタンプの発行者は、対象者に特定の組織に加入して会員になるよう勧誘し、電子スタンプを発行する（図１、ステップＳ１０１）。特定の組織の会員は電子スタンプの権利を尊重し、その組織が発行する電子スタンプが付された電子メールを受け取ると、電子スタンプのレベルに応じて、異なる応答をすることに同意する。応答が行われると、特定の組織は会員に見返りを与える。
【００２０】
電子スタンプは特定の形式のファイル、及び／または人目を引くファイルアイコンであってもよい。例として挙げるなら、電子スタンプのアイコンの中央領域は、例えば「任務完了を求める」などのサービススローガンを表すテキストになっている。電子スタンプにはいろいろなレベルがあり、そのファイルアイコンのパターン、特に、パターンに直接表示される額面価格によって区別が可能になっていてもよい。例えば、電子スタンプを、プラチナ電子スタンプ、レッドゴールド電子スタンプ、ブラックゴールド電子スタンプに分けて、その額面価格を、それぞれ８０元、８００元、８０００元としてもよい。額面価格が異なる電子スタンプはサービス内容が異なる。例えば、プラチナスタンプは、これらの電子スタンプが電子メールを送信する際に使われると、受取人は必ず応答して電子メールを開封するであろうことを意味し、レッドゴールドスタンプは、これらの電子スタンプが電子メールを送信する際に使われると、受取人は必ず応答して電子メールをダウンロードするであろうことを意味し、ブラックゴールドスタンプは、これらの電子スタンプが電子メールを送信する際に使われると、受取人は必ず注意深く応答して電子メールに返信するであろうことを意味する。異なる電子スタンプにより提供されるサービス内容は、電子スタンプの発行者が定めた電子スタンプのサービス約定によって規定される。
【００２１】
例えば、「リーダー会員権（Leader Membership）」と指定された組織の場合、「リーダー会員権（Leader Membership）」を有する会員は、「中国企業家リーダーズ（Chinese Entrepreneurial Leaders）」というウェブサイトによって組織に加入するよう勧誘されるが、料金の支払いは要求されない。ある人物が「中国企業家リーダーズ（Chinese Entrepreneurial Leaders）」の会員になると、「中国企業家リーダー（Chinese Entrepreneurial Leaders）」のウェブサイトは、その会員に個別の会員番号を付与し、その会員のための個人アカウントを開設する。
【００２２】
会員は電子スタンプのサービス約定を遵守しなければならない。例えば、映画俳優のＡ氏が勧誘されて会員になるとする。映画ファンであるＸがレッドゴールド電子スタンプを購入して（図２、ステップＳ２０１）、Ａ氏宛ての電子メールにそのレッドゴールド電子スタンプを添付すると（図２、ステップＳ２０２）、Ａは、レターにおいて、そのメールに応答して電子ポスターの画像をプレゼントすることを要求される。もし、電子スタンプのサービス約定で、レッドゴールドスタンプが添付されたレターに対してはこのような要求に応えなければならないということが規定されているなら、Ａはメールをダウンロードし、メールに応答して電子ポスターを添付しなければならない（図１、ステップＳ１０２）。その代わり、電子スタンプの発行者は、映画ファンＸがレッドゴールドスタンプの購入に支払った金額の一部をＡ氏の個人アカウントへ振り替える。
【００２３】
別の例として、企業家であるＢ氏が勧誘されて会員になるとする。Ｂ氏が、ブラックゴールド電子スタンプが添付された、企業家Ｙから送信されたレターを受け取ると、Ｂ氏は、そのレターの中で、メールに応答してＹのレターに添付された事業提案に対して助言をするよう要求される。もし、電子スタンプのサービス約定で、ブラックゴールドスタンプが添付されたレターに対してはこのような要求に応えなければならないということが規定されているなら、Ｂはメールに応答して、添付された内容についてコメントしなければならない。その代わりに、電子スタンプの発行者は、企業家Ｙがブラックゴールドスタンプの購入に支払った金額の一部を企業家Ｂ氏の個人アカウントに振り替えるか、あるいは、Ｂ氏の要求に応じて、慈善団体にＢ氏の名前で寄付をする。
【００２４】
顧客が上述した電子スタンプを添付した電子メールを送信すると、システムは、自動検出を実行して、その電子メールが危険なものを含んでいないメールであることを確認する。危険要素には複数の種類があり、例えば、メールがウイルスに感染していたり、メールの内容が脅迫的なものである場合などである。従って、自動検出としては、これらの脅威を排除するために、スキャン用及びウイルス対策用のアンチウイルスソフトウェアや、キーワードスキャンや、手動のトラブルシューティングを用いたりする手段がある。
【００２５】
自動検出をパスすると、システムは、電子メールの受取対象者のパスワードに従って電子メールを暗号化し、暗号化された電子メールはパスワードのみによって解読される。暗号化された電子メールは電子メールサーバーに保存され、バックグラウンドプログラムが電子スタンプに個別番号を付与し、その後、システムは、電子メールサーバーにある電子メールアドレスと個別番号を含む電子メールを電子メール受取人に送信する。
【００２６】
受取人によって受信された電子メールは、顧客によって直接送信されたオリジナルの電子メールではなく、個別番号と電子メールサーバーのオリジナルの電子メールのアクセスリンクを含む通知メールである。通知メールの中のアドレスリンクを介して、受取人は電子メールサーバーにアクセスすることができ、その後、システムにログオンして、通知メール中の個別番号と、電子メールシステムにおける受取人自身の登録パスワードによって、オリジナルの電子メールを閲覧したり、ダウンロードしたり、返信したりすることになる。
【００２７】
サーバーの各電子メールには、サーバーが各電子メールを追跡できるように、メールステータス用パラメータが挿入される。電子メールの受取人の開封から始まって、サーバーは、自動的に返ってくるメールステータス用パラメータに従ってメールを追跡し、それらをデータベースに保存する。各ステータスは、送信者に詳細がわかるように提示され、送信者は、各メールのステータスを正確かつ迅速に認知することができる。
【００２８】
本発明の好適な実施形態が図面及び上述の詳細な説明において記載されているが、本発明は特定の公開された実施形態に限定されるものではなく、請求の範囲から逸脱しない範囲で種々の改変及び変更が可能であることが理解されるであろう。
【図１】
2015514275.tif 000002
【図２】
2015514275.tif 000003
【国際調査報告】
2015514275.tif 000004
2015514275.tif 000005
2015514275.tif 000006
2015514275.tif 000007
2015514275.tif 000008